(57)【要約】【課題】ブースタにおいて、十分な駆動電力供給能力がないチューナに対応可能とし、放送信号を受信するときのみに駆動電力が消費されるようにし、テレビ放送受信システムを省電力化させる。【解決手段】チューナ５は衛星放送信号又は地上波放送信号を受信しようとすると、選択制御信号及びアンテナ駆動制御電力、又は地上波受信制御電力をブースタ１に向け出力する。電力検出／出力部１ｉは、アンテナ駆動制御電力又は地上波受信制御電力が入力されると、スイッチ１ｈを切り替えることにより衛星放送増幅部１ｄ又は地上波放送増幅部１ｅを動作させる。また、アンテナ駆動制御電力が入力されたとき、衛星放送信号受信用アンテナ２ａに電源部１ｇから供給される電力から生成される駆動電力を供給して駆動させる。チューナ５が放送信号を受信しないときには駆動電力が供給されず、テレビ放送受信システムが省電力化される。【選択図】図１
2007036629.tif 000002
【特許請求の範囲】
【請求項１】
衛星放送信号受信用アンテナが接続され、前記衛星放送信号受信用アンテナから複数種類の衛星放送信号が入力されると共に、前記衛星放送信号受信用アンテナに対して駆動電力を出力するための第１入出力端子と、
地上波放送信号受信用アンテナが接続され、この地上波放送信号受信用アンテナから地上波放送信号が入力される入力端子と、
それぞれにチューナが接続され、前記チューナからそのチューナが地上波放送信号を受信しようとするときに地上波受信制御電力が入力され、そのチューナが受信しようとする衛星放送信号の種類を選択するための選択制御信号及び前記衛星放送信号受信用アンテナを駆動させるためのアンテナ駆動制御電力が入力されると共に、前記選択制御信号により選択された種類の衛星放送信号又は地上波放送信号を前記チューナに出力するための複数の第２入出力端子と、
前記第１入出力端子から入力される複数種類の衛星放送信号にそれぞれ対応して設けられ、各衛星放送信号を増幅する複数の衛星放送増幅部と、
前記入力端子から入力される地上波放送信号に対応して設けられ、その地上波放送信号を増幅する地上波放送増幅部と、
前記衛星放送増幅部により増幅された複数種類の衛星放送信号のうち、前記選択制御信号に対応する種類の衛星放送信号を選択して、その選択制御信号が入力された第２入出力端子に出力すると共に、前記地上波放送信号が前記地上波放送増幅部により増幅されたときには、この地上波放送信号を前記第２入出力端子に出力する放送信号選択出力部と、
前記衛星放送信号受信用アンテナ、衛星放送増幅部、及び地上波放送増幅部を動作させる駆動電力を供給可能な電源部と、
前記電源部から衛星放送増幅部及び地上波放送増幅部に駆動電力を供給して動作させるかどうかを切り替えるためのスイッチと、
前記第１入出力端子と第１電力経路を介して接続され、前記第２入出力端子と第２電力経路を介して接続され、前記電源部と接続されており、前記チューナから前記第２電力経路を介して前記アンテナ駆動制御電力が入力されたとき、前記スイッチを切り替えることにより少なくとも前記選択制御信号により選択される種類の衛星放送信号に対応して設けられる衛星放送増幅部を動作させると共に、前記衛星放送信号受信用アンテナのうち、前記選択制御信号により選択される種類の衛星放送信号を受信するための衛星放送信号受信用アンテナに、その衛星放送信号受信用アンテナの駆動電力を前記第１電力経路を介して供給し、また、前記チューナから前記第２電力経路を介して前記地上波受信制御電力が入力されたとき、前記スイッチを切り替えることにより少なくとも前記地上波放送増幅部を動作させる電力検出／出力部とを備えたことを特徴とするブースタ。
【請求項２】
衛星放送信号受信用アンテナが接続され、前記衛星放送信号受信用アンテナから複数種類の衛星放送信号が入力されると共に、前記衛星放送信号受信用アンテナに対して駆動電力を出力するための第１入出力端子と、
地上波放送信号受信用アンテナが接続され、この地上波放送信号受信用アンテナから地上波放送信号が入力される入力端子と、
チューナが接続される分配器が接続され、前記チューナからそのチューナが地上波放送信号を受信しようとするときに地上波受信制御電力が入力され、そのチューナが受信しようとする衛星放送信号の種類を選択するための選択制御信号が前記分配器を介して入力されると共に、前記選択制御信号により選択された種類の衛星放送信号又は地上波放送信号を前記分配器を介して前記チューナに出力するための第２入出力端子と、
前記分配器が接続され、前記衛星放送信号受信用アンテナを駆動させるためのアンテナ駆動制御電力が前記分配器を介して入力される電力入力端子と、
前記第１入出力端子から入力される複数種類の衛星放送信号にそれぞれ対応して設けられ、各衛星放送信号を増幅する複数の衛星放送増幅部と、
前記入力端子から入力される地上波放送信号に対応して設けられ、その地上波放送信号を増幅する地上波放送増幅部と、
前記衛星放送増幅部により増幅された複数種類の衛星放送信号のうち、前記選択制御信号に対応する種類の衛星放送信号を選択して、その選択制御信号が入力された第２入出力端子に出力すると共に、前記地上波放送信号が前記地上波放送増幅部により増幅されたときには、この地上波放送信号を前記第２入出力端子に出力する放送信号選択出力部と、
前記衛星放送信号受信用アンテナ、衛星放送増幅部、及び地上波放送増幅部を動作させる駆動電力を供給可能な電源部と、
前記電源部から衛星放送増幅部及び地上波放送増幅部に駆動電力を供給して動作させるかどうかを切り替えるためのスイッチと、
前記第１入出力端子と第１電力経路を介して接続され、前記第２入出力端子と第２電力経路を介して接続され、前記電源部と接続されており、前記チューナから前記第２電力経路を介して前記アンテナ駆動制御電力が入力されたとき、前記スイッチを切り替えることにより少なくとも前記選択制御信号により選択される種類の衛星放送信号に対応して設けられる衛星放送増幅部を動作させると共に、前記衛星放送信号受信用アンテナのうち、前記選択制御信号により選択される種類の衛星放送信号を受信するための衛星放送信号受信用アンテナに、その衛星放送信号受信用アンテナの駆動電力を前記第１電力経路を介して供給し、また、前記チューナから前記第２電力経路を介して前記地上波受信制御電力が入力されたとき、前記スイッチを切り替えることにより少なくとも前記地上波放送増幅部を動作させる電力検出／出力部とを備えたことを特徴とするブースタ。
【請求項３】
前記スイッチは、前記衛星放送増幅部及び地上波放送増幅部にそれぞれ対応するように複数設けられており、
前記電力検出／出力部は、前記チューナから前記第２電力経路を介して前記アンテナ駆動制御電力が入力されたとき、前記スイッチを切り替えることにより、前記衛星放送増幅部及び地上波放送増幅部のうち前記選択制御信号により選択される種類の衛星放送信号に対応する衛星放送増幅部のみを動作させ、前記チューナから前記第２電力経路を介して前記地上波受信制御電力が入力されたとき、前記スイッチを切り替えることにより、前記地上波放送増幅部のみを動作させることを特徴とする請求項１又は２に記載のブースタ。
【請求項４】
前記電力検出／出力部と前記電源部とを接続する経路に挿入される経路切替スイッチをさらに備え、
前記経路切替スイッチが前記電源部側に切り替えられているときは、前記電源部から、前記衛星放送信号受信用アンテナ、衛星放送増幅部、及び地上波放送増幅部に対して駆動電力を常時出力することを特徴とする請求項１乃至請求項３のいずれかに記載のブースタ。
【請求項５】
衛星放送信号を受信するときにのみ前記選択制御信号及びアンテナ駆動制御電力を出力し、地上波放送信号を受信するときにのみ前記地上波受信制御電力を出力するチューナと、請求項１乃至４のいずれかに記載のブースタで構成され、衛星放送信号及び地上波放送信号を受信しない場合には、衛星放送信号受信用アンテナ、衛星放送増幅部、及び地上波放送増幅部に駆動電力を供給しないことにより省電力化を可能とするテレビ放送受信システム。
【発明の詳細な説明】
【技術分野】
【０００１】
本発明は、衛星放送信号受信用アンテナで受信された衛星放送信号及び地上波放送信号受信用アンテナで受信された地上波放送信号を増幅させるブースタ及びそのブースタを用いたテレビ放送受信システムに関する。
【背景技術】
【０００２】
従来、テレビ放送として、放送衛星や通信衛星を用いて衛星放送が行われている。このような衛星放送を受信して視聴する場合には、衛星から送信される電波を受信するための衛星放送信号受信用アンテナを用いる必要がある。この衛星放送信号受信用アンテナは、外部から駆動電力が供給されて動作する。一般に、駆動電力は、衛星放送信号受信用アンテナに接続されたチューナから供給されたり、また、衛星放送信号受信用アンテナにブースタが接続されている場合には、このブースタから供給されたりする。
【０００３】
図４は、衛星放送を視聴するための従来のテレビ放送受信システムの一例を示す。このテレビ放送受信システムは、衛星放送と地上波放送とを視聴するためのものであり、ブースタ８１と、ブースタ８１に接続される衛星放送信号受信用アンテナ８２ａ及び地上波放送信号受信用アンテナ８２ｂと、分配器８３と、分配器８３に接続される２つのＴＶコンセント８４と、ＴＶコンセント８４にそれぞれ接続されるチューナ８５とを備えている。
【０００４】
ブースタ８１は、衛星放送信号受信用アンテナ８２ａ及び地上波放送信号受信用アンテナ８２ｂにそれぞれ接続される、衛星放送増幅部８１ｄ及び地上波放送増幅部８１ｅと、これらの衛星放送増幅部８１ｄ及び地上波放送増幅部８１ｅによりそれぞれ増幅される衛星放送信号と地上波放送信号を１つの信号に混合して出力する混合部８１ｆと、外部の商用電源に接続されており、衛星放送増幅部８１ｄ及び地上波放送増幅部８１ｅに駆動電力を供給する電源部８１ｇとを有している。一般に、衛星放送を多箇所で視聴する場合には、衛星放送信号を分配器８３で分配するときに分配ロスが生じたり、配線ロスが生じたりする。そのため、ブースタ８１を用いて衛星放送信号受信用アンテナ８２ａで受信された衛星放送信号や地上波放送信号受信用アンテナ８２ｂで受信された地上波放送信号のレベルを上げることにより、上述のように分配ロスや配線ロスが生じても衛星放送や地上波放送を視聴することができるようにしている。
【０００５】
従来、例えば２つの通信衛星から各通信衛星につき垂直偏波と水平偏波の２つの偏波をそれぞれ利用した衛星放送信号のような、複数種類の衛星放送信号を受信して視聴することが行われる場合もある。このような場合には、一般に、ブースタ８１内部に各種類の衛星放送信号に対応した複数の衛星放送増幅部８１ｄが設けられる。すなわち、衛星と偏波が異なる合計４種類の衛星放送信号を受信するような場合には、衛星放送増幅部８１ｄが４つ設けられる。そして、複数のチューナ８５がそれぞれ複数種類の衛星放送信号のうちから１種類の衛星放送信号を選択して受信する。
【０００６】
ここで、このようなテレビ放送受信システムでは、衛星放送信号受信用アンテナ８２ａは、ブースタ８１の電源部８１ｇから例えばＤＣ１５Ｖの駆動電力が供給されることにより動作している。ブースタ８１には、図に示すように、電源部８１ｇから衛星放送信号受信用アンテナ８２ａへ駆動電力を出力するための電力供給経路８１ｍが設けられている。この電力供給経路８１ｍの途中にはスイッチ８１ｋが設けられており、スイッチ８１ｋは、衛星放送信号受信用アンテナ８２ａがブースタ８１に接続されるときには、通常はオン状態とされている。これにより、スイッチ８１ｋがオンのとき、衛星放送信号受信用アンテナ８２ａに電源部８１ｇから駆動電力が常時供給されて、この衛星放送信号受信用アンテナ８２ａが駆動される。
【０００７】
しかしながら、上述のようなテレビ放送受信システムにおいては、一般に、スイッチ８１ｋはブースタ８１及び衛星放送信号受信用アンテナ８２ａが設置されたときにオンされ、ユーザがオフすることは困難である。そのため、ブースタ８１の電源部８１ｇから衛星放送信号受信用アンテナ８２ａに駆動電力が常時供給される。また、ブースタ８１が設置されたときには、衛星放送増幅部８１ｄ及び地上波放送増幅部８１ｅに動作させるための駆動電力が常時供給される。すなわち、このテレビ放送受信システムでは、衛星放送を視聴していない場合でも、衛星放送信号受信用アンテナ８２ａと衛星放送増幅部８１ｄ及び地上波放送増幅部８１ｅでは駆動電力として余分な電力が消費されており、経済的ではない。
【０００８】
一方、チューナ８５として、上述のように衛星放送受信時のみに衛星放送信号受信用アンテナ８２ａに駆動電力を供給可能であり、衛星放送信号受信用アンテナ８２ａの駆動電力を無駄に消費しないようにするものがある。しかしながら、このようなチューナ８５には、出力可能な電流値が小さく駆動電力供給能力が低いものがある。駆動電力供給能力が低いチューナ８５は、駆動電力の供給開始時に衛星放送信号受信用アンテナ８２ａに向けて流れる突入電流が過大になったときに、チューナ８５自身で駆動電力の供給を停止してしまうことがある。このように駆動電力の供給が停止されると、衛星放送信号受信用アンテナ８２ａを駆動できず衛星放送信号を受信することができなくなる。
【０００９】
上述のように余分な電力を消費せず、また十分な駆動電力供給能力がないチューナ８５に対応したブースタ８１として、接続されたチューナ８５のうち電源オンのものがあるかどうか検出する直流電圧検出回路を備えたものが知られている（例えば、特許文献１参照）。直流電圧検出回路は、電源オンの状態のチューナ８５から出力される直流電圧を検出する。そして、接続されているチューナ８５の中で電源オンであるものがあるときに、ブースタ８１の電源部８１ｇが衛星放送信号受信用アンテナ８２ａと衛星放送増幅部８１ｄに駆動電力を供給し、省電力化を図る。しかしながら、このブースタ８１は、１つの衛星放送増幅部８１ｄに対して駆動電力の供給をオン／オフするものであり、衛星放送増幅部８１ｄが複数設けられているようなものではなく、また、衛星放送増幅部８１ｄ及び地上波放送増幅部８１ｅを両方有しているようなものではない。
【特許文献１】特開２００３−２８３３５１号公報
【発明の開示】
【発明が解決しようとする課題】
【００１０】
本発明は、上記問題点を鑑みてなされたものであり、十分な駆動電力供給能力がないチューナに対応可能であると共に、衛星放送信号を受信するときに衛星放送信号受信用アンテナと衛星放送用の増幅部に駆動電力を供給することができ、地上波放送信号を受信するときに地上波放送用の増幅部に駆動電力を供給することができるブースタを用い、駆動電力を浪費することがなく、省電力化させることが可能なテレビ放送受信システムを提供することを目的とする。
【課題を解決するための手段】
【００１１】
上記目的を達成するため請求項１の発明は、衛星放送信号受信用アンテナが接続され、前記衛星放送信号受信用アンテナから複数種類の衛星放送信号が入力されると共に、前記衛星放送信号受信用アンテナに対して駆動電力を出力するための第１入出力端子と、地上波放送信号受信用アンテナが接続され、この地上波放送信号受信用アンテナから地上波放送信号が入力される入力端子と、それぞれにチューナが接続され、前記チューナからそのチューナが地上波放送信号を受信しようとするときに地上波受信制御電力が入力され、そのチューナが受信しようとする衛星放送信号の種類を選択するための選択制御信号及び前記衛星放送信号受信用アンテナを駆動させるためのアンテナ駆動制御電力が入力されると共に、前記選択制御信号により選択された種類の衛星放送信号又は地上波放送信号を前記チューナに出力するための複数の第２入出力端子と、前記第１入出力端子から入力される複数種類の衛星放送信号にそれぞれ対応して設けられ、各衛星放送信号を増幅する複数の衛星放送増幅部と、前記入力端子から入力される地上波放送信号に対応して設けられ、その地上波放送信号を増幅する地上波放送増幅部と、前記衛星放送増幅部により増幅された複数種類の衛星放送信号のうち、前記選択制御信号に対応する種類の衛星放送信号を選択して、その選択制御信号が入力された第２入出力端子に出力すると共に、前記地上波放送信号が前記地上波放送増幅部により増幅されたときには、この地上波放送信号を前記第２入出力端子に出力する放送信号選択出力部と、前記衛星放送信号受信用アンテナ、衛星放送増幅部、及び地上波放送増幅部を動作させる駆動電力を供給可能な電源部と、前記電源部から衛星放送増幅部及び地上波放送増幅部に駆動電力を供給して動作させるかどうかを切り替えるためのスイッチと、前記第１入出力端子と第１電力経路を介して接続され、前記第２入出力端子と第２電力経路を介して接続され、前記電源部と接続されており、前記チューナから前記第２電力経路を介して前記アンテナ駆動制御電力が入力されたとき、前記スイッチを切り替えることにより少なくとも前記選択制御信号により選択される種類の衛星放送信号に対応して設けられる衛星放送増幅部を動作させると共に、前記衛星放送信号受信用アンテナのうち、前記選択制御信号により選択される種類の衛星放送信号を受信するための衛星放送信号受信用アンテナに、その衛星放送信号受信用アンテナの駆動電力を前記第１電力経路を介して供給し、また、前記チューナから前記第２電力経路を介して前記地上波受信制御電力が入力されたとき、前記スイッチを切り替えることにより少なくとも前記地上波放送増幅部を動作させる電力検出／出力部とを備えたものである。
【００１２】
請求項２の発明は、衛星放送信号受信用アンテナが接続され、前記衛星放送信号受信用アンテナから複数種類の衛星放送信号が入力されると共に、前記衛星放送信号受信用アンテナに対して駆動電力を出力するための第１入出力端子と、地上波放送信号受信用アンテナが接続され、この地上波放送信号受信用アンテナから地上波放送信号が入力される入力端子と、チューナが接続される分配器が接続され、前記チューナからそのチューナが地上波放送信号を受信しようとするときに地上波受信制御電力が入力され、そのチューナが受信しようとする衛星放送信号の種類を選択するための選択制御信号が前記分配器を介して入力されると共に、前記選択制御信号により選択された種類の衛星放送信号又は地上波放送信号を前記分配器を介して前記チューナに出力するための第２入出力端子と、前記分配器が接続され、前記衛星放送信号受信用アンテナを駆動させるためのアンテナ駆動制御電力が前記分配器を介して入力される電力入力端子と、前記第１入出力端子から入力される複数種類の衛星放送信号にそれぞれ対応して設けられ、各衛星放送信号を増幅する複数の衛星放送増幅部と、前記入力端子から入力される地上波放送信号に対応して設けられ、その地上波放送信号を増幅する地上波放送増幅部と、前記衛星放送増幅部により増幅された複数種類の衛星放送信号のうち、前記選択制御信号に対応する種類の衛星放送信号を選択して、その選択制御信号が入力された第２入出力端子に出力すると共に、前記地上波放送信号が前記地上波放送増幅部により増幅されたときには、この地上波放送信号を前記第２入出力端子に出力する放送信号選択出力部と、前記衛星放送信号受信用アンテナ、衛星放送増幅部、及び地上波放送増幅部を動作させる駆動電力を供給可能な電源部と、前記電源部から衛星放送増幅部及び地上波放送増幅部に駆動電力を供給して動作させるかどうかを切り替えるためのスイッチと、前記第１入出力端子と第１電力経路を介して接続され、前記第２入出力端子と第２電力経路を介して接続され、前記電源部と接続されており、前記チューナから前記第２電力経路を介して前記アンテナ駆動制御電力が入力されたとき、前記スイッチを切り替えることにより少なくとも前記選択制御信号により選択される種類の衛星放送信号に対応して設けられる衛星放送増幅部を動作させると共に、前記衛星放送信号受信用アンテナのうち、前記選択制御信号により選択される種類の衛星放送信号を受信するための衛星放送信号受信用アンテナに、その衛星放送信号受信用アンテナの駆動電力を前記第１電力経路を介して供給し、また、前記チューナから前記第２電力経路を介して前記地上波受信制御電力が入力されたとき、前記スイッチを切り替えることにより少なくとも前記地上波放送増幅部を動作させる電力検出／出力部とを備えたものである。
【００１３】
請求項３の発明は、請求項１又は請求項２の発明において、前記スイッチは、前記衛星放送増幅部及び地上波放送増幅部にそれぞれ対応するように複数設けられており、前記電力検出／出力部は、前記チューナから前記第２電力経路を介して前記アンテナ駆動制御電力が入力されたとき、前記スイッチを切り替えることにより、前記衛星放送増幅部及び地上波放送増幅部のうち前記選択制御信号により選択される種類の衛星放送信号に対応する衛星放送増幅部のみを動作させ、前記チューナから前記第２電力経路を介して前記地上波受信制御電力が入力されたとき、前記スイッチを切り替えることにより、前記地上波放送増幅部のみを動作させるものである。
【００１４】
請求項４の発明は、請求項１乃至請求項３のいずれかの発明において、前記電力検出／出力部と前記電源部とを接続する経路に挿入される経路切替スイッチをさらに備え、前記経路切替スイッチが前記電源部側に切り替えられているときは、前記電源部から、前記衛星放送信号受信用アンテナ、衛星放送増幅部、及び地上波放送増幅部に対して駆動電力を常時出力するものである。
【００１５】
請求項５の発明は、衛星放送信号を受信するときにのみ前記選択制御信号及びアンテナ駆動制御電力を出力し、地上波放送信号を受信するときにのみ前記地上波受信制御電力を出力するチューナと、請求項１乃至４のいずれかに記載のブースタで構成され、衛星放送信号及び地上波放送信号を受信しない場合には、衛星放送信号受信用アンテナ、衛星放送増幅部、及び地上波放送増幅部に駆動電力を供給しないことにより省電力化を可能とするものである。
【発明の効果】
【００１６】
請求項１の発明によれば、電力検出／出力部が、チューナからアンテナ駆動制御電力が入力されたとき、スイッチを切り替えることにより衛星放送増幅部を動作させるとともに、衛星放送信号受信用アンテナに駆動電力を供給し、チューナから地上波受信制御電力が入力されたとき、スイッチを切り替えることにより地上波放送増幅部を動作させる。従って、チューナが衛星放送信号を受信するときに衛星放送信号受信用アンテナと衛星放送増幅部に駆動電力が供給され、地上波放送信号を受信するときに地上波放送増幅部に駆動電力が供給されるので、ブースタが十分な駆動電力供給能力がないチューナに対応可能であると共に、駆動電力を浪費することがなく、テレビ放送受信システムを省電力化させることが可能となる。
【００１７】
請求項２の発明によれば、第２入出力端子と電力入力端子に分配器が接続され、この分配器を介して選択制御信号、アンテナ駆動制御電力、及び地上波受信制御電力が入力されるので、上述のようにテレビ放送受信システムを省電力化させることが可能となると共に、第２入出力端子及び電力入力端子を一定数備えた１つのブースタで種々の数のチューナに対応することが可能となり、ブースタの製造コストを低減させることが可能となる。
【００１８】
請求項３の発明によれば、スイッチが衛星放送増幅部及び地上波放送増幅部にそれぞれ対応するように複数設けられており、電力検出／出力部は、チューナからアンテナ駆動制御電力が入力されたとき、選択制御信号により選択される種類の衛星放送信号に対応する衛星放送増幅部のみを動作させ、チューナから地上波受信制御電力が入力されたときに地上波放送増幅部のみを動作させるので、チューナが受信しようとする衛星放送信号に対応する衛星放送増幅部又は地上波放送増幅部のみで駆動電力が消費され、テレビ放送受信システムをより省電力化させることが可能となる。
【００１９】
請求項４の発明によれば、経路切替スイッチが電源部側に切り替えられているときには、駆動電力が電源部から常時出力されるので、チューナとブースタの間に設置されるＴＶコンセント等のテレビ配線器具が電流非通過形である場合でも、衛星放送信号受信用アンテナ、衛星放送増幅部、及び地上波放送増幅部を動作させて衛星放送信号又は地上波放送信号を受信することが可能となる。従って、チューナがブースタへアンテナ駆動制御電力及び地上波受信制御電力を供給可能であるときにはテレビ放送受信システムを省電力化することが可能なブースタを、より多様な構成のテレビ放送受信システムに用いることが可能となる。
【００２０】
請求項５の発明によれば、チューナが衛星放送信号及び地上波放送信号を受信しない場合には、衛星放送信号受信用アンテナ、衛星放送増幅部、及び地上波放送増幅部に駆動電力を供給しないので、テレビ放送受信システムを省電力化することが可能となり、経済的にすることが可能となる。
【発明を実施するための最良の形態】
【００２１】
以下、本発明の第１の実施形態について図面を参照して説明する。本実施形態において、テレビ放送受信システムは、２種類の衛星放送信号及び１種類の地上波放送信号（以下、放送信号と称する）を受信する場合について説明している。この２種類の衛星放送信号は、例えば偏波や使用する通信衛星等が互いに異なるようなものであるが、これに限られるものではない。
【００２２】
図１は、本実施形態に係るブースタを用いたテレビ放送受信システムの構成を示す。このテレビ放送受信システムは、ブースタ１と、このブースタ１に接続される衛星放送信号受信用アンテナ２ａ及び地上波放送信号受信用アンテナ２ｂと、このブースタ１に接続されるコネクタである２つのＴＶコンセント４と、これらのＴＶコンセント４にそれぞれ接続される２つのチューナ５とを備えている。
【００２３】
ブースタ１は、衛星放送信号受信用アンテナ２ａが接続される２つの第１入出力端子１ａと、地上波放送信号受信用アンテナ２ｂが接続される入力端子１ｂと、ＴＶコンセント４を介してチューナ５が接続される第２入出力端子１ｃとを有している。ブースタ１の内部には、第１入出力端子１ａから入力される２種類の衛星放送信号にそれぞれ対応して設けられ、この衛星放送信号を増幅させる衛星放送増幅部１ｄと、入力端子１ｂから入力される１種類の地上波放送信号に対応して設けられ、この地上波放送信号を増幅させる地上波放送増幅部１ｅと、衛星放送増幅部１ｄ及び地上波放送増幅部１ｅで増幅されたそれぞれの放送信号を各第２入出力端子１ｃに混合して出力する放送信号選択出力部１ｆと、例えば外部の商用電源と接続され、衛星放送増幅部１ｄ及び地上波放送増幅部１ｅに電力を供給する電源部１ｇと、衛星放送増幅部１ｄ及び地上波放送増幅部１ｅに電力を供給するための経路に設けられる３つのスイッチ１ｈと、電源部１ｇに経路１ｊを介して接続される電力検出／出力部１ｉとを備えている。各第１入出力端子１ａと衛星放送増幅部１ｄとの間の２つの経路及び放送信号選択出力部１ｆと各第２入出力端子１ｃとの間の２つの経路には、例えばコンデンサ等の、直流電流をカットするためのフィルタ１ｐがそれぞれ挿入されている。また、図に示すように、電力検出／出力部１ｉと各第１入出力端子１ａとは、第１電力経路１ｍを介して接続されており、電力検出／出力部１ｉと各第２入出力端子１ｃとは、第２電力経路１ｎを介して接続されている。各第１電力経路１ｍ及び各第２電力経路１ｎには、例えばコイル等、放送信号をカットするためのフィルタ１ｑが挿入されている。
【００２４】
衛星放送信号受信用アンテナ２ａは、外部から駆動電力が供給されることで動作し、放送衛星や通信衛星から送信される衛星放送信号の電波を受信する。本実施形態において、衛星放送信号受信用アンテナ２ａの駆動電力は、後述のようにブースタ１から供給される。この駆動電力としては、衛星放送信号受信用アンテナ２ａが受信する２種類の衛星放送信号にそれぞれ対応する、例えば互いに電圧が異なる２種類の直流電力がある。衛星放送信号受信用アンテナ２ａは、２種類のそれぞれの駆動電力が供給されることで、その駆動電力と対応する種類の衛星放送信号を受信可能となる。一方、地上波放送信号受信用アンテナ２ｂは、駆動電力が供給されなくても、地上波放送信号の電波を受信可能なものである。なお、この衛星放送信号受信用アンテナ２ａの動作はこれに限られるものではなく、例えば１種類の駆動電力が供給されることで、複数種類の衛星放送信号を受信可能となるように構成されているものであってもよい。
【００２５】
ＴＶコンセント４は、第２入出力端子１ｃ及びチューナ５と例えば同軸ケーブル等により接続されており、ブースタ１から出力される放送信号をチューナ５へと伝送する。なお、このＴＶコンセント４は、チューナ５からブースタ１へ向けて電流を通過させる電流通過形のものであり、後述のようにチューナ５から供給されるアンテナ駆動制御電力をブースタ１に通過させる。
【００２６】
チューナ５は、ブースタ１からＴＶコンセント４を介して送信される放送信号が入力されて衛星放送及び地上波放送を受信するものである。チューナ５は、衛星放送を受信しようとする直前に、衛星放送信号受信用アンテナ２ａを駆動させるための直流電力であるアンテナ駆動制御電力と、２種類の衛星放送信号のうち受信しようとする衛星放送信号の種類を選択するための選択制御信号をブースタ１に向けて送信する機能を有している。アンテナ駆動制御電力としては、例えば偏波や使用する通信衛星等が互いに異なる２種類の衛星放送信号にそれぞれ応じて、ＤＣ１５ＶとＤＣ１１Ｖ程度の電圧が異なる複数種類の電力が用いられる。また、チューナ５は、地上波放送を受信しようとする直前に、ブースタ１に向けて地上波受信制御電力を送信する機能を有している。この地上波受信制御電力は、後述のように、地上波放送増幅部１ｅを駆動させるために送信されるものであり、上述のアンテナ駆動制御電力とは異なり、例えばＤＣ５Ｖ程度の電圧の電力である。なお、アンテナ駆動制御電力及び地上波受信制御電力の電圧等はこれに限られるものではない。
【００２７】
以下に、このテレビ放送受信システムの動作を説明する。チューナ５が、衛星放送信号又は地上波放送信号を受信しようとしていないとき、衛星放送信号受信用アンテナ２ａ、衛星放送増幅部１ｄ、及び地上波放送増幅部１ｅには駆動電力は供給されていない状態である。この状態において、チューナ５は２種類のうちどちらかの種類の衛星放送信号を受信しようとすると、その種類の衛星放送信号を選択するための選択制御信号をアンテナ駆動制御電力と共にブースタ１に向け出力する。この選択制御信号、アンテナ駆動制御電力は、第２入出力端子１ｃから第２電力経路１ｎを経由して電力検出／出力部１ｉに入力される。一方、チューナ５は地上波放送信号を受信しようとすると、地上波受信制御電力をブースタ１に向け出力する。この地上波受信制御電力は、アンテナ駆動制御電力と同様に、第２入出力端子１ｃから第２電力経路１ｎを経由して電力検出／出力部１ｉに入力される。
【００２８】
電力検出／出力部１ｉは、アンテナ駆動制御電力が入力されると、チューナ５から入力される選択制御信号に応じて、上述のようなチューナ５が受信しようとする種類の衛星放送信号に対応する種類の駆動電力を、第１電力経路１ｍを介して第１入出力端子１ａより衛星放送信号受信用アンテナ２ａに出力する。この衛星放送信号受信用アンテナ２ａの駆動電力は、電源部１ｇから経路１ｊを介して供給される電力から生成される。このように衛星放送信号受信用アンテナ２ａに駆動電力が供給されることで、衛星放送信号受信用アンテナ２ａは衛星放送信号を受信可能となる。また、電力検出／出力部１ｉは、衛星放送信号受信用アンテナ２ａの駆動電力を出力すると共に、チューナ５が受信しようとする種類の衛星放送信号に対応して設けられている衛星放送増幅部１ｄに電源部１ｇから駆動電力が送られるようにスイッチ１ｈを切り替え、その衛星放送増幅部１ｄを駆動させる。これにより、チューナ５が受信しようとする種類の衛星放送信号が、衛星放送信号受信用アンテナ２ａからブースタ１に入力されて衛星放送増幅部１ｄにより増幅された後、放送信号選択出力部１ｆに入力される。なお、複数のチューナ５が互いに異なる種類の衛星放送信号を受信しようとするときには、それぞれのチューナ５が出力する選択制御信号に基づき、複数種類の衛星放送信号が同時に受信されるように衛星放送信号受信用アンテナ２ａ及び衛星放送増幅部１ｄが駆動される。
【００２９】
一方、電力検出／出力部１ｉは、地上波受信制御電力が入力されると、地上波放送増幅部１ｅに電源部１ｇから駆動電力が送られるようにスイッチ１ｈを切り替え、地上波放送増幅部１ｅを駆動させる。上述したように、地上波放送信号受信用アンテナ２ｂは外部から駆動電力が与えられることなく地上波放送信号を受信可能であり、地上波放送信号は、地上波放送信号受信用アンテナ２ｂからブースタ１に入力されて地上波放送増幅部１ｅにより増幅された後、放送信号選択出力部１ｆに入力される。
【００３０】
放送信号選択出力部１ｆに入力された衛星放送信号は、選択制御信号を出力したチューナ５が接続されている第２入出力端子１ｃに出力される。このとき、例えば２つのチューナ５が互いに異なる種類の衛星放送信号を受信しようとする場合には、放送信号選択出力部１ｆには２種類の衛星放送信号が入力される。放送信号選択出力部１ｆは、各チューナ５からそれぞれ入力された選択制御信号に基づいて、各チューナ５に向けてそれぞれ対応する種類の衛星放送信号を選択して出力する。すなわち、放送信号選択出力部１ｆは、選択制御信号に対応する種類の衛星放送信号を選択してその選択制御信号が入力された第２入出力端子１ｃに出力する。
【００３１】
また、地上波放送信号が地上波放送増幅部１ｅにより増幅されたときには、放送信号選択出力部１ｆは、入力された地上波放送信号を各第２入出力端子１ｃに分配して出力する。ここで、放送信号選択出力部１ｆに衛星放送信号と地上波放送信号とが同時に入力されているとき、選択制御信号を出力したチューナ５が接続されている第２入出力端子１ｃには、この衛星放送信号と地上波放送信号とが混合された１つの放送信号が出力される。なお、放送信号選択出力部１ｆの動作はこれに限られるものではなく、例えば地上波放送信号も、衛星放送信号と同様に、地上波受信制御電力を出力したチューナ５に選択的に送信されるように動作するものであってもよい。
【００３２】
そして、第２入出力端子１ｃからは、選択制御信号により選択された種類の衛星放送信号又は地上波放送信号がチューナ５に出力される。このようにして、放送信号選択出力部１ｆから出力された混合された放送信号は、第２入出力端子１ｃからＴＶコンセント４を介してチューナ５に入力され、チューナ５が衛星放送信号又は地上波放送信号を受信して衛星放送又は地上波放送を視聴可能となる。
【００３３】
このように、電力検出／出力部１ｉが、チューナ５が衛星放送信号を受信しようとするときに、衛星放送信号受信用アンテナ２ａ及び衛星放送増幅部１ｄに駆動電力を供給し、チューナ５が地上波放送信号を受信しようとするときに、地上波放送増幅部１ｅに駆動電力を供給するので、衛星放送信号及び地上波放送信号を受信しないときには駆動電力を浪費することがなく、テレビ放送受信システムを省電力化させることが可能となる。このとき、本実施形態においては、衛星放送増幅部１ｄ及び地上波放送増幅部１ｅそれぞれに対応してスイッチ１ｈが設けられており、増幅される衛星放送信号が１種類のとき、又は地上波放送信号を受信するときには、衛星放送増幅部１ｄ及び地上波放送増幅部１ｅのうち使用されないものには駆動電力が供給されないので、より省電力化させることが可能となる。
【００３４】
さらに、衛星放送信号受信用アンテナ２ａの駆動電力が、電力検出／出力部１ｉから出力されるので、アンテナ駆動制御電力の電流値が高くなく、十分な駆動電力供給能力がないチューナ５を接続した場合にも衛星放送信号受信用アンテナ２ａを駆動することが可能となる。また、本実施形態においては、ブースタ１は地上波放送信号を衛星放送信号と混合して出力可能であり、地上波放送と衛星放送を共に視聴する際に１つのブースタで対応することが可能となる。従って、地上波放送と衛星放送を視聴するテレビ放送受信システムの配線をより単純にすることが可能となる。
【００３５】
なお、ブースタ１が対応する衛星放送信号の種類は２種類に限られるものではなく、さらに多種類であってもよい。このとき、衛星放送増幅部１ｄは衛星放送信号の種類の数に応じてそれぞれ設けられる。なお、スイッチ１ｈは、上述のように、衛星放送増幅部１ｄ及び地上波放送増幅部１ｅにそれぞれ対応するように設けられるものでなく、これらの衛星放送増幅部１ｄ及び地上波放送増幅部１ｅのうち複数のものを一括して、駆動電力を供給するかどうか切り替えるようなものであってもよい。このような場合にも、チューナ５が放送信号を受信しようとするときにスイッチ１ｈが切り替えられて、少なくとも受信しようとする放送信号を増幅させる衛星放送増幅部１ｄ又は地上波放送増幅部１ｅが動作されるので、上述と同様にテレビ放送受信システムを省電力化させることが可能となる。
【００３６】
図２は、本発明の第２の実施形態に係るブースタを用いたテレビ放送受信システムの構成を示す。以下の実施形態において、上述の第１の実施形態と同様のものは同一の符号を付し、上述の第１の実施形態と相違する部分についてのみ説明する。このテレビ放送受信システムは、ブースタ２１及び複数のチューナ５が接続される専用のまたは互換性のある分配器３を有している点が上述の第１の実施形態と異なっている。このテレビ放送受信システムにおいては、放送信号がブースタ２１から分配器３を介してチューナ５へ出力されると共に、各チューナ５から出力される選択制御信号及びアンテナ駆動制御電力が分配器３を介してブースタ２１に入力される。なお、このテレビ放送受信システムは、上述の第１の実施形態と同様に、２種類の衛星放送信号及び１種類の地上波放送信号を受信するものであるが、これに限られるものではない。
【００３７】
ブースタ２１の第２入出力端子１ｃは、放送信号選択出力部１ｆにフィルタ１ｐ等を介さずに接続されている。第２の実施形態において、この第２入出力端子１ｃは、衛星放送信号受信用アンテナ２ａからブースタ２１に入力される衛星放送信号の種類の数に応じた数だけ設けられている。すなわち、ブースタ２１は、このテレビ放送受信システムに用いられるチューナ５の数に関らず一定数の第２入出力端子１ｃを有している。また、このブースタ２１は、後述のように分配器３が接続される電力入力端子２１ｒを有している。電力検出／出力部１ｉは、この電力入力端子２１ｒに第２電力経路２１ｎを介して接続されている。
【００３８】
分配器３は、第２入出力端子１ｃに接続される分配／信号切替部３ｆと、電力入力端子２１ｒに接続される電力伝達部３ｉとを有している。図に示すように、分配／信号切替部３ｆは、チューナ５が接続される２つの入出力端子（図示せず）と、直流電流をカットするためのフィルタ３ｐが挿入された経路を介して接続されている。また、電力伝達部３ｉはこれらの入出力端子と、それぞれ放送信号をカットするためのフィルタ３ｑが挿入された第３電力経路３ｎを介して接続されている。入出力端子には、それぞれＴＶコンセント４を介してチューナ５が接続されている。なお、入出力端子の数はこれに限られるものではなく、また、ＴＶコンセント４を介さずチューナ５が直接入出力端子に接続される様な構成であってもよい。
【００３９】
第２の実施形態において、チューナ５から出力される選択制御信号、アンテナ駆動制御電力、及び地上波受信制御電力は、分配器３を介してブースタ２１に入力される。すなわち、選択制御信号、アンテナ駆動制御電力及び地上波受信制御電力は、分配器３の入出力端子から第３電力経路３ｎを経由して電力伝達部３ｉに入力される。そして、電力伝達部３ｉから電力入力端子２１ｒ及び第２電力経路２１ｎを介してブースタ２１の電力検出／出力部１ｉに入力される。
【００４０】
上述のように選択制御信号及びアンテナ駆動制御電力、又は地上波受信制御電力がブースタ２１に入力されると、第１の実施形態と同様に、衛星放送信号受信用アンテナ２ａ、衛星放送増幅部１ｄ、地上波放送増幅部１ｅに駆動電力が供給されて、衛星放送信号又は地上波放送信号が放送信号選択出力部１ｆから第２入出力端子１ｃに出力される。これらの放送信号は、第２入出力端子１ｃを介して分配器３の分配／信号切替部３ｆに入力される。この第２の実施形態では、分配／信号切替部３ｆに入力された衛星放送信号は、選択制御信号に基づいて、その衛星放送信号を受信しようとするチューナ５が接続された入出力端子に出力される。衛星放送信号と地上波放送信号が同時に放送信号選択出力部１ｆに入力されるときには、これらの放送信号が放送信号選択出力部１ｆで混合された後に分配／信号切替部３ｆに出力されるように構成されている。なお、このようなとき、衛星放送信号と地上波放送信号とが別々に分配／信号切替部３ｆに入力され、分配／信号切替部３ｆにてこれらの放送信号が混合された後に、各入出力端子に出力されるような構成であってもよい。チューナ５は、この放送信号を受信することにより、衛星放送と地上波放送を受信可能となる。なお、分配／信号切替部３ｆの動作はこれに限られるものではなく、例えば、放送信号選択出力部１ｆから出力された放送信号が各入出力端子にそのまま分配するように構成されていてもよい。
【００４１】
このように、第２の実施形態においては、ブースタ２１の第２入出力端子１ｃと電力入力端子２１ｒに分配器３が接続され、この分配器３を介して選択制御信号、アンテナ駆動制御電力、及び地上波受信制御電力がチューナ５からブースタ２１に入力されている。従って、第１の実施形態と同様にテレビ放送受信システムを省電力化させることが可能となると共に、第２入出力端子１ｃ及び電力入力端子２１ｒを一定数備えた１つのブースタ２１で種々の数のチューナ５に対応することが可能となり、ブースタ２１の製造コストを低減させることが可能となる。
【００４２】
図３は、本発明の第３の実施形態に係るテレビ放送受信システムを示す。このテレビ放送受信システムのブースタ３１は、第１の実施形態のブースタ１において、電源部１ｇから衛星放送増幅部１ｄ、地上波放送増幅部１ｅ、及び衛星放送信号受信用アンテナ２ａに対して直接駆動電力を供給可能な経路をさらに設け、この経路と上述のようにチューナ５が出力する選択制御信号、アンテナ駆動制御電力、及び地上波受信制御電力に基づいて駆動電力を供給するための経路とを切り替えるための経路切替スイッチ３１ｋを後述のように設けたものである。このテレビ放送受信システムは、例えば通信衛星等が異なるような２種類の衛星放送信号を２つの衛星放送信号受信用アンテナ２ａを用いて受信し、１種類の地上波放送信号を１つの地上波放送信号受信用アンテナ２ｂにより受信するものである。なお、衛星放送信号受信用アンテナ２ａの数及び受信する放送信号の種類等はこれに限られるものではない。
【００４３】
図に示すように、ブースタ３１の２つの第１電力経路１ｍにはそれぞれスイッチ３１ｓが挿入されている。電源部１ｇと電力検出／出力部１ｉとを接続する経路１ｊには、経路切替スイッチ３１ｋが挿入されている。経路切替スイッチ３１ｋは、第３の実施形態において、各スイッチ１ｈの衛星放送増幅部１ｄ及び地上波放送増幅部１ｅ寄りに接続され、また、電源部１ｇから各スイッチ３１ｓの衛星放送信号受信用アンテナ２ａ寄りに接続される経路の途中に設けられている。すなわち、経路切替スイッチ３１ｋは、この経路を電力を供給可能に導通させるか、経路１ｊを導通させて電源部１ｇと電力検出／出力部１ｉとを接続させるかを切り替えることができるように構成されている。
【００４４】
第３の実施形態においては、経路切替スイッチ３１ｋを切り替えて経路１ｊを導通させることにより、上述の第１の実施形態と同様に、選択制御信号及びアンテナ駆動制御電力、又は地上波受信制御電力がブースタ３１に入力されたとき、衛星放送信号受信用アンテナ２ａ、衛星放送増幅部１ｄ、及び地上波放送増幅部１ｅに駆動電力が供給される。これにより、このテレビ放送受信システムを省電力化させることが可能となる。一方、経路切替スイッチ３１ｋを電源部１ｇ側に切り替えることにより、駆動電力が電源部１ｇから衛星放送信号受信用アンテナ２ａ、衛星放送増幅部１ｄ及び地上波放送増幅部１ｅに常時出力させることもできる。これにより、例えばチューナ５とブースタ３１の間に設置されるＴＶコンセント４等のテレビ配線器具が電流非通過形である場合でも、衛星放送信号受信用アンテナ、衛星放送増幅部１ｄ、及び地上波放送増幅部１ｅを動作させて衛星放送信号を受信することが可能となり、ブースタ３１を、より多様な構成のテレビ放送受信システムに用いることが可能となる。
【００４５】
なお、本発明は上記実施形態の構成に限定されるものではなく、発明の趣旨を変更しない範囲で適宜に種々の変形が可能である。衛星放送信号受信用アンテナ２ａ、ＴＶコンセント４、及びチューナ５の数は、上述の数に限られるものではない。例えば、衛星放送信号受信用アンテナ２ａの数が複数であるときには、ブースタ１から送られた駆動電圧を、チューナ５が出力する選択制御信号に対応する種類の衛星放送信号を受信するための衛星放送信号受信用アンテナ２ａに出力するようにブースタ１を構成すればよい。これにより、衛星放送信号受信用アンテナ２ａでの駆動電力が、その衛星放送信号の受信時のみ消費されるようになり、テレビ放送受信システムを省電力化して経済的にすることが可能となる。
【図面の簡単な説明】
【００４６】
【図１】本発明の第１の実施形態に係るテレビ放送受信システムの構成を示す図。
【図２】本発明の第２の実施形態に係るテレビ放送受信システムの構成を示す図。
【図３】本発明の第３の実施形態に係るテレビ放送受信システムの構成を示す図。
【図４】従来のテレビ放送受信システムの一例の構成を示す図。
【符号の説明】
【００４７】
１，２１，３１  ブースタ
１ａ  第１入出力端子
１ｂ  入力端子
１ｃ  第２入出力端子
１ｄ  衛星放送増幅部
１ｅ  地上波放送増幅部
１ｆ  放送信号選択出力部
１ｇ  電源部
１ｈ  スイッチ
１ｉ  電力検出／出力部
１ｊ  経路
１ｍ  第１電力経路
１ｎ，２１ｎ  第２電力経路
２ａ  衛星放送信号受信用アンテナ
２ｂ  地上波放送信号受信用アンテナ
３  分配器
４  ＴＶコンセント
５  チューナ
２１ｒ  電力入力端子
３１ｋ  経路切替スイッチ
【図１】
2007036629.tif 000003
【図２】
2007036629.tif 000004
【図３】
2007036629.tif 000005
【図４】
2007036629.tif 000006